(57)【要約】【課題】使用者が物を把持しにくい状態にあっても、補助具に装着された注射器により円滑に薬剤を投与することが可能な補助具、当該補助具を成形するための情報を使用者ごとに生成して管理する情報管理装置、および、当該補助具を生成するための補助具生成システムを提供する。【解決手段】補助具１００は、薬剤を収容した注射器が挿入される筒部１１０と、筒部１１０に挿入された注射器を、押し子が筒部１１０から所定量だけ突出する所定の位置に係止する係止部１１３と、筒部１１０を握る手指を外側から押さえるための鍔部１２０と、を備える。鍔部１３０は、筒部１１０の長手方向に沿って延びており、且つ、筒部１１０に対して弾性変形可能に設けられている。【選択図】図１
2018064912.tif 000002
【特許請求の範囲】
【請求項１】
自己注射を補助するための補助具であって、
薬剤を収容した注射器が挿入される筒部と、
前記筒部に挿入された前記注射器を、押し子が前記筒部から所定量だけ突出する所定の位置に係止する係止部と、
前記筒部を握る手指を外側から押さえるための鍔部と、を備え、
前記鍔部は、前記筒部の長手方向に沿って延びており、且つ、前記筒部に対して弾性変形可能に設けられている、
ことを特徴とする補助具。
【請求項２】
前記筒部の外側面に、前記筒部を握る手指に沿う形状の凹凸が設けられている、
請求項１に記載の補助具。
【請求項３】
前記鍔部の内側面に、前記筒部を握る手指に沿う形状の凹凸が設けられている、
請求項１または２に記載の補助具。
【請求項４】
前記鍔部の長さが、前記筒部を握る使用者の複数の手指を覆い得る長さとなっている、
請求項１ないし３の何れか一項に記載の補助具。
【請求項５】
前記鍔部の長さが、前記筒部を握る使用者の手指のうち、少なくとも示指、中指および薬指を覆い得る長さとなっている、
請求項１ないし４の何れか一項に記載の補助具。
【請求項６】
前記注射器は、本体外側面の上端に、前記薬剤の投入量を設定するためのダイヤルを備え、
前記筒部は、前記ダイヤルを外部に露出させるための窓部を備える、
請求項１ないし５の何れか一項に記載の補助具。
【請求項７】
前記筒部の長さが、前記筒部を握る使用者の掌の幅以上となっている、
請求項１ないし６の何れか一項に記載の補助具。
【請求項８】
請求項１ないし７の何れか一項に記載の補助具を成形するための情報を使用者ごとに生成して管理する情報管理装置であって、
使用者の手指に関する手指情報の入力を受け付ける受付部と、
前記受付部を介して入力された前記手指情報に基づいて前記補助具を構成する各種パラメータの寸法を算出する演算部と、
前記演算部により算出された寸法に基づく情報を、前記補助具を形成するための形成装置に送信する通信部と、を備える、
ことを特徴とする情報管理装置。
【請求項９】
前記受付部は、前記手指情報として、少なくとも示指の径と、示指から小指までの長さの入力を受け付け、
前記演算部は、入力された前記径および前記長さと前記各種パラメータとの相関に基づく演算により、前記各種パラメータの前記寸法を算出する、
請求項８に記載の情報管理装置。
【請求項１０】
薬局に設置された第１の処理装置と、
前記薬局とは異なる施設に設置され、外部ネットワーク網を介して前記第１の処理装置に接続された第２の処理装置と、を備え、
前記受付部は、前記第１の処理装置に配置され、
前記通信部は、第２の処理装置に配置されている、
請求項８または９の何れか一項に記載の情報管理装置。
【請求項１１】
請求項７ないし１０の何れか一項に記載の情報管理装置と、
外部ネットワーク網を介して前記情報管理装置に接続され、前記演算部により算出された前記各種パラメータの前記寸法に基づく情報を前記通信部から受信し、受信した前記情報に基づいて前記補助具を形成する形成装置と、を備える、
ことを特徴とする補助具生成システム。
【発明の詳細な説明】
【技術分野】
【０００１】
本発明は、自己注射を補助するための補助具、当該補助具を成形するための情報を使用者ごとに生成して管理する情報管理装置、および、当該補助具を生成するための補助具生成システムに関する。
【背景技術】
【０００２】
糖尿病の治療薬であるインスリンや、成長ホルモン等の薬剤の投与は、患者自らが自宅など病院以外の場所で行うことが多い。このような自己注射を補助する補助具として、たとえば、以下の特許文献１〜３に記載の補助具が知られている。これら特許文献１〜３に記載された構成では、注射器が装着された補助具を一方の手に保持した状態で、患者自らが注射器の針を腹部等に突き刺す。その後、患者は、他方の手で注射器の押し子を押し込む。これにより、注射器内の薬剤が患者に投与される。
【先行技術文献】
【特許文献】
【０００３】
【特許文献１】特開２０１１−０９８１３３号公報
【特許文献２】特開２０１４−０３６８７９号公報
【特許文献３】特開２０１６−１１６９０８号公報
【発明の概要】
【発明が解決しようとする課題】
【０００４】
しかしながら、患者によっては、高齢のため握力が低下し、あるいは、疾患等により手指が不自由であるため、補助具を安定的に把持できない場合がある。この場合、上記特許文献１〜３の構成では、患者が片手で補助具を円滑に把持できないために、自己注射を円滑に行い得ないことが起こり得る。
【０００５】
かかる課題に鑑み、本発明は、使用者が物を把持しにくい状態にあっても、補助具に装着された注射器により円滑に薬剤を投与することが可能な補助具、当該補助具を成形するための情報を使用者ごとに生成して管理する情報管理装置、および、当該補助具を生成するための補助具生成システムを提供することを目的とする。
【課題を解決するための手段】
【０００６】
本発明の第１の態様は、自己注射を補助するための補助具に関する。本態様に係る補助具は、薬剤を収容した注射器が挿入される筒部と、前記筒部に挿入された前記注射器を、押し子が前記筒部から所定量だけ突出する所定の位置に係止する係止部と、前記筒部を握る手指を外側から押さえるための鍔部と、を備える。前記鍔部は、前記筒部の長手方向に沿って延びており、且つ、前記筒部に対して弾性変形可能に設けられている。
【０００７】
本態様に係る補助具によれば、使用者が筒部を把持した状態において、鍔部によって筒部を握る手指が外側から押さえられるため、筒部に対する使用者の把持が補強される。よって、使用者の握力が弱い場合や使用者の手指が不自由な場合など、使用者が円滑に筒部を把持しにくい状態にあっても、使用者は、補助具に装着された注射器により、薬剤を円滑に投与することができる。
【０００８】
なお、本態様に係る補助具の使用者は、典型的には注射器による薬剤の投与を受ける患者である。この他、使用者は、たとえば患者が身動きできないような場合に、患者を補助または援助する補助者であってもよい。
【０００９】
本態様に係る補助具において、前記筒部の外側面に、前記筒部を握る手指に沿う形状の凹凸が設けられるよう構成され得る。こうすると、指が筒部外側面の凹凸に嵌まることにより、指と筒部との密着性が高まり、筒部のずれが抑制される。このため、使用者は、より確実かつ安定的に筒部を握ることができる。よって、使用者が円滑に筒部を把持しにくい状態にあっても、使用者は、薬剤をより円滑に投与することができる。
【００１０】
本態様に係る補助具において、前記鍔部の内側面に、前記筒部を握る手指に沿う形状の凹凸が設けられるよう構成され得る。こうすると、指が鍔部内側面の凹凸に嵌まることにより、指と鍔部との密着性が高まり、筒部のずれが抑制される。このため、使用者による筒部の把持状態がより安定化され得る。よって、使用者が円滑に筒部を把持しにくい状態にあっても、使用者は、薬剤をより円滑に投与することができる。
【００１１】
本態様に係る補助具において、前記鍔部の長さは、前記筒部を握る使用者の複数の手指を覆い得る長さに設定され得る。このように、複数の手指を鍔部で押さえることにより、筒部に対する使用者の把持をより強固に補強できる。
【００１２】
本態様に係る補助具において、前記鍔部の長さが、前記筒部を握る使用者の手指のうち、少なくとも示指、中指および薬指を覆い得る長さとなるよう構成され得る。このように、少なくとも３つの指が鍔部で押さえられることにより、筒部に対する使用者の把持が確実に補強され得る。よって、使用者が円滑に筒部を把持しにくい状態にあっても、使用者は、薬剤をより円滑に投与することができる。
【００１３】
本態様に係る補助具において、前記注射器は、本体外側面の上端に、前記薬剤の投入量を設定するためのダイヤルを備え、前記筒部は、前記ダイヤルを外部に露出させるための窓部を備えるよう構成され得る。こうすると、窓部からダイヤルが外部に露出するため、注射器本体を筒部により深く挿入でき、これにより、筒部から突出する押し子の位置を、筒部の上端に近づけることができる。このため、筒部を片手で握った状態で、その手の親指で押し子を円滑に操作できる。よって、使用者が円滑に筒部を把持しにくい状態にあっても、使用者は、薬剤をより円滑に投与することができる。
【００１４】
本態様に係る補助具において、前記筒部の長さが、前記筒部を握る使用者の掌の幅以上となるよう構成され得る。こうすると、掌が幅方向に筒部からはみ出しにくいため、筒部を把持する際に、指および掌と筒部との密着性が高まる。このため、使用者は、より安定的に筒部を把持できる。よって、使用者が円滑に筒部を把持しにくい状態にあっても、使用者は、薬剤をより円滑に投与することができる。
【００１５】
本発明の第２の態様は、第１の態様に係る補助具を成形するための情報を使用者ごとに生成して管理する情報管理装置に関する。本態様に係る情報管理装置は、使用者の手指に関する手指情報の入力を受け付ける受付部と、前記受付部を介して入力された前記手指情報に基づいて前記補助具を構成する各種パラメータの寸法を算出する演算部と、前記演算部により算出された寸法に基づく情報を、前記補助具を形成するための形成装置に送信する通信部と、を備える。
【００１６】
本態様に係る情報管理装置によれば、使用者の手指の状態に応じて補助具の各種パラメータの寸法が設定されるため、使用者の手指の状態に適合する補助具を使用者ごとに作成できる。このため、使用者が円滑に筒部を把持しにくい状態にあっても、使用者は、より安定的かつ確実に補助具を把持することができる。よって、使用者は、薬剤を円滑に投与することができる。
【００１７】
本態様に係る情報管理装置において、前記受付部は、前記手指情報として、少なくとも示指の径と、示指から小指までの長さの入力を受け付け、前記演算部は、入力された前記径および前記長さと前記各種パラメータとの相関に基づく演算により、前記各種パラメータの前記寸法を算出するよう構成され得る。こうすると、少なくとも使用者の示指の径と、示指から小指までの長さに適合した補助具を使用者ごとに作成できる。よって、使用者は、安定的かつ確実に補助具を把持することができ、薬剤をより円滑に投与することができる。
【００１８】
この場合、受付部は、示指から小指までの４指のうち複数の指の径の入力を受け付けることが好ましい。たとえば、受付部は、示指および中指とともに薬指の径の入力を受け付けることが好ましい。こうすると、筒部の把持に大きく作用する３つの指に適合した補助具を作成でき、使用者は、安定的かつ確実に補助具を把持できる。また、この場合、受付部は、示指、中指および薬指とともに小指の径の入力を受け付けてもよい。こうすると、筒部の把持に用いられ得る小指にも適合した補助具を作成でき、使用者は、より確実に補助具を把持できる。
【００１９】
本態様に係る情報管理装置は、薬局に設置された第１の処理装置と、前記薬局とは異なる施設に設置され、外部ネットワーク網を介して前記第１の処理装置に接続された第２の処理装置と、を備えるよう構成され得る。この場合、前記受付部は、前記第１の処理装置に配置され、前記通信部は、第２の処理装置に配置され得る。
【００２０】
本発明の第３の態様は、第１の態様に係る補助具を生成するための補助具生成システムに関する。本態様に係る補助具生成システムは、第２の態様に係る情報管理装置と、外部ネットワーク網を介して前記情報管理装置に接続され、前記演算部により算出された前記各種パラメータの前記寸法に関する情報を前記通信部から受信し、受信した前記情報に基づいて前記補助具を形成する形成装置と、を備える。
【００２１】
本態様に係る補助具生成システムによれば、使用者の手指の状態に適合する補助具を使用者ごとに作成して使用者に提供できる。このため、使用者が円滑に筒部を把持しにくい状態にあっても、使用者は、より安定的かつ確実に補助具を把持することができる。よって、使用者は、薬剤を円滑に投与することができる。
【発明の効果】
【００２２】
以上のとおり、本発明によれば、使用者が物を把持しにくい状態にあっても、補助具に装着された注射器により円滑に薬剤を投与することが可能な補助具、当該補助具を成形するための情報を使用者ごとに生成して管理する情報管理装置、および、当該補助具を生成するための補助具生成システムを提供することができる。
【図面の簡単な説明】
【００２３】
【図１】図１（ａ）は、実施形態に係る補助具の構成を示す斜視図である。図１（ｂ）は、実施形態に係る補助具の断面を示す図である。
【図２】図２（ａ）は、実施形態に係る注射器の構成を示す側面図である。図２（ｂ）は、実施形態に係る補助具に注射器を設置した状態を示す側面図である。図２（ｃ）は、実施形態に係る注射器が設置された補助具を使用者が把持した状態を示す側面図である。
【図３】図３（ａ）は、実施形態１に係る検証１で用いた比較例２に係る補助具に注射器を設置した状態を示す側面図である。図３（ｂ）は、実施形態１に係る検証１で用いた比較例２に係る注射器が設置された補助具を使用者が把持した状態を示す側面図である。
【図４】図４（ａ）は、実施形態に係る検証１の使用性に関する検証の結果を示す図である。図４（ｂ）は、実施形態に係る検証１の注入量に関する検証の結果を示す図である。
【図５】図５（ａ）〜（ｃ）は、実施形態に係る検証２で用いた注射器が設置された補助具を示す側面図である。
【図６】図６は、実施形態に係る検証２の使用性に関する検証の結果を示す図である。
【図７】図７（ａ）は、変更例に係る補助具の構成を示す側面図である。図７（ｂ）は、変更例に係る補助具の断面を示す図である。図７（ｃ）は、実施形態に係る補助具の断面を示す図である。
【図８】図８（ａ）〜（ｃ）は、変更例に係る補助具の構成を示す側面図である。
【図９】図９（ａ）〜（ｃ）は、変更例に係る補助具の構成を示す側面図である。
【図１０】図１０は、実施形態に係る補助具提供システムの構成を示す図である。
【図１１】図１１は、実施形態に係る薬局の処理装置と専門家施設の処理装置の構成を示すブロック図である。
【図１２】図１２（ａ）〜（ｃ）は、それぞれ、実施形態に係る薬局の処理装置に保持される患者テーブル、注射器テーブルおよび受付テーブルの構成を示す図である。
【図１３】図１３（ａ）、（ｂ）は、それぞれ、実施形態に係る薬局の処理装置に保持される薬局入力パラメータテーブルおよび専門家入力パラメータテーブルの構成を示す図である。
【図１４】図１４は、実施形態に係る薬局の処理装置に表示される入力画面の構成を示す図である。
【図１５】図１５（ａ）〜（ｅ）は、それぞれ、実施形態に係る指の径、示指から小指までの長さ、平面間隔、握り間隔および平面からの高さの計測方法を示す図である。
【図１６】図１６は、実施形態に係る薬局の処理装置に表示されるパラメータ画面の構成を示す図である。
【図１７】図１７は、実施形態に係る専門家施設の処理装置に表示されるパラメータ画面の構成を示す図である。
【図１８】図１８（ａ）は、実施形態に係る薬局の処理装置における補助器発注時の処理を示すフローチャートである。図１８（ｂ）は、実施形態に係る専門家施設の処理装置における補助器発注時の処理を示すフローチャートである。
【発明を実施するための形態】
【００２４】
１．補助具
以下に示す補助具１００は、使用者による自己注射を補助するための補助具である。補助具１００の使用者は、典型的には注射器２００による薬剤の投与を受ける患者である。この他、使用者は、たとえば患者が身動きできないような場合に、患者を補助または援助する補助者であってもよい。以下の実施形態において、注射器２００に収容される薬剤は、自己注射により投与される薬剤であればよく、たとえば、インスリンやＧＬＰ−１受容体作動薬などである。
【００２５】
図１（ａ）は、補助具１００の構成を示す斜視図であり、図１（ｂ）は、図１（ａ）に示す補助具１００のＣ１−Ｃ２断面を示す図である。図１（ａ）、（ｂ）において、ＸＹＺ軸は互いに直交している。以下、便宜上、ＸＹ平面を水平面に平行とし、Ｚ軸正方向を下方向とする。以下の図面においても、ＸＹＺ軸は、図１（ａ）、（ｂ）のＸＹＺ軸と同様である。
【００２６】
図１（ａ）、（ｂ）に示すように、補助具１００は、筒部１１０と、接続部１２０と、鍔部１３０と、を備える。筒部１１０は、Ｚ軸方向に沿って延びており、筒部１１０の長手方向は、Ｚ軸方向に平行である。筒部１１０には、薬剤を収容した注射器２００が挿入される。注射器２００については、追って図２（ａ）を参照して説明する。接続部１２０は、ＸＹ平面に平行な平板形状を有しており、筒部１１０の上端からＹ軸正方向に沿って延びるように設けられている。鍔部１３０は、接続部１２０のＹ軸正側の端部からＺ軸正方向に沿って延びるように形成されている。すなわち、鍔部１３０は、筒部１１０の長手方向に沿って延びている。
【００２７】
鍔部１３０は、筒部１１０に対して弾性変形可能に設けられている。本実施形態では、筒部１１０、接続部１２０および鍔部１３０が、樹脂等の可撓性材料により一体形成されている。補助具１００の材料は、プラスチック樹脂、特に、ＡＢＳ樹脂が好ましい。この他、補助具１００の材料は、ポリエチレン、ポリプロピレン、ポリ塩化ビニル、ポリスチレン、ポリ酢酸ビニル、ポリウレタン、ポリテトラフルオロエチレン、ＡＳ樹脂、アクリル樹脂、ポリ乳酸、フェノール樹脂、エポキシ樹脂、メラミン樹脂、尿素樹脂、不飽和ポリエステル樹脂、アルキド樹脂、熱硬化性ポリイミド、ポリカーボネート、ＰＥＴ、ゴム類（ラテックス、ニトリル、セラテックス）、可撓性金属類、ジュラルミン類、リキッドメタル、炭素繊維強化樹脂、グラスファイバー、カーボンファイバー、セラミック、紙（パルプ）および木材等であってもよい。
【００２８】
筒部１１０は、使用者の手指によって握られる。筒部１１０のＺ軸方向の長さは、筒部１１０を握る使用者の掌の幅（示指から小指までの長さ）以上となっている。筒部１１０は、外側面１１１と、孔１１２と、窓部１１４、１１５と、を備える。図１（ｂ）に示すように、外側面１１１には、複数の凹部１１１ａと複数の凸部１１１ｂとが設けられている。凹部１１１ａと凸部１１１ｂは、Ｚ軸方向において交互に並んでいる。凹部１１１ａと凸部１１１ｂは、筒部１１０を握る手指に沿う形状となるよう、外側面１１１に設けられている。
【００２９】
図１（ａ）、（ｂ）に示すように、孔１１２は、筒部１１０をＺ軸方向に貫通する。孔１１２に注射器２００が挿入されると、注射器２００は、孔１１２の内側面１１２ａによって水平方向における位置が決められる。図１（ｂ）に示すように、内側面１１２ａには、全周に亘って、係止部１１３が設けられている。係止部１１３は、内側面１１２ａから孔１１２の中心方向に突出した突条部である。係止部１１３は、筒部１１０に挿入された注射器２００を、図２（ａ）に示す注射器２００の押し子２４０が筒部１１０から所定量だけ上方向に突出する位置に係止する。すなわち、係止部１１３により、孔１１２に挿入された注射器２００のＺ軸方向の位置が決められる。
【００３０】
図１（ａ）に示すように、窓部１１４、１１５は、それぞれ、筒部１１０の上部および下部に設けられている。窓部１１４は、図２（ａ）に示す注射器２００のダイヤル２５０を外部に露出させる。窓部１１５は、図２（ａ）に示す注射器２００の容器２２０の上端付近における外側面を外部に露出させる。
【００３１】
鍔部１３０は、筒部１１０を握る複数の手指を外側から押さえる。鍔部１３０のＺ軸方向の長さは、筒部１１０を握る使用者の手指のうち、少なくとも示指、中指および薬指を覆い得る長さとされる。実施形態の補助具１００の場合、鍔部１３０のＺ軸方向の長さは、示指、中指、薬指および小指を覆い得る長さである。鍔部１３０は、内側面１３１を備える。図１（ｂ）に示すように、内側面１３１には、複数の凹部１３１ａと複数の凸部１３１ｂとが設けられている。凹部１３１ａと凸部１３１ｂは、Ｚ軸方向において交互に並んでいる。凹部１３１ａと凸部１３１ｂは、筒部１１０を握る手指に沿う形状となるよう、内側面１３１に設けられている。
【００３２】
図２（ａ）は、注射器２００の構成を示す側面図である。
【００３３】
注射器２００は、本体部２１０と、容器２２０と、針２３０と、押し子２４０と、ダイヤル２５０と、を備える。本体部２１０は、筒状部材である。本体部２１０の外側面の径は、補助具１００の内側面１１２ａの径とほぼ同じである。本体部２１０の下端には、薬剤を収容する筒状の容器２２０が接続されている。容器２２０の外側面の径は、本体部２１０の外側面の径よりも一段小さい。また、本体部２１０には、窓部２１２が設けられている。窓部２１２は、ダイヤル２５０を外部に露出させる。
【００３４】
針２３０は、容器２２０の下端に設置されている。押し子２４０は、本体部２１０の上端から上方向に所定量だけ突出している。押し子２４０は、本体部２１０に対して、Ｚ軸方向に移動可能に設置されており、且つ、Ｚ軸を中心として回転可能に設置されている。
【００３５】
ダイヤル２５０は、本体部２１０の外側面の上端に、薬剤の投入量を設定するために設けられている。より詳細には、ダイヤル２５０は、本体部２１０の上端付近の内側に設けられており、窓部２１２を介して外部に露出している。ダイヤル２５０は、押し子２４０のＺ軸方向の押し込みと、押し子２４０のＺ軸を中心とする回転とに応じて、Ｚ軸を中心として回転し、窓部２１２に位置付けられる目盛りが変化するよう、押し子２４０に接続されている。使用者は、Ｚ軸を中心としてダイヤル２５０を回転させることにより、薬剤の投入量を設定する。薬剤の投入量が設定された後、押し子２４０が押し込まれると、設定された量の薬剤が針２３０から吐出される。
【００３６】
図２（ｂ）は、図１（ａ）、（ｂ）の補助具１００に、図２（ａ）の注射器２００を設置した状態を示す側面図である。
【００３７】
図２（ｂ）に示すように、注射器２００が補助具１００に設置されると、注射器２００の本体部２１０の外側面が、補助具１００の内側面１１２ａに支持され、注射器２００の本体部２１０の下端２１１が、補助具１００の係止部１１３に係止される。これにより、注射器２００のＸＹ平面における位置と、注射器２００のＺ軸方向における位置とが固定される。このとき、押し子２４０は、筒部１１０の上端から上方向にＨ１だけ突出する。また、注射器２００のダイヤル２５０が、窓部１１４を介して外部に露出し、注射器２００の容器２２０の上部が、窓部１１５を介して外部に露出する。使用者は、窓部１１４を介してダイヤル２５０を調整でき、また、窓部１１５を介して注射器２００内における薬剤の残存量を確認できる。
【００３８】
図２（ｂ）に示すように補助具１００が設置された注射器２００を用いて、薬剤を自己注射する手順について説明する。
【００３９】
使用者は、所定の空うち動作を行った後、Ｚ軸を中心に押し子２４０を回転させて、窓部２１２の中心位置に、注射する薬剤の量に応じたダイヤル２５０の目盛りを位置付ける。続いて、図２（ｃ）に示すように、使用者は、筒部１１０と鍔部１３０との間に、示指、中指、薬指および小指を挿入し、これら４つの指により筒部１１０を握る。そして、使用者は、針２３０を腹部等の注射部位に刺す。使用者は、針２３０が注射部位に刺さった状態で、図２（ｃ）に示すように、押し子２４０を親指で押し込む。押し子２４０が押し込まれると、押し子２４０の下部に接続された図示しないピストンが移動し、容器２２０内の薬剤が針２３０の先端から吐出される。その後、使用者は、押し子２４０を親指で押したまま、針２３０を注射部位から抜く。
【００４０】
＜検証１＞
次に、本実施形態に係る補助具１００による効果を検証した検証１について説明する。本検証では、注射器２００を単独で用いる比較例１と、補助具３００を用いる比較例２と、補助具１００を用いる実施形態とを比較した。
【００４１】
比較例２に係る補助具３００について、図３（ａ）、（ｂ）を参照して説明する。
【００４２】
図３（ａ）に示すように、補助具３００は、筒部３１０と鍔部３２０を備える。筒部３１０は、Ｚ軸方向に延びており、外側面３１１と孔３１２を備える。外側面３１１には凹凸は設けられておらず、外側面３１１の径は一定である。
【００４３】
孔３１２は、筒部３１０をＺ軸方向に貫通する。孔３１２に注射器２００が挿入されると、注射器２００は、孔３１２の内側面３１２ａによって水平方向における位置が決められる。孔３１２には、係止部３１３が設けられている。係止部３１３は、筒部３１０に挿入された注射器２００の押し子２４０が、筒部３１０からＨ２だけ上方向に突出する位置に係止する。Ｈ２は、図２（ｂ）に示すＨ１よりも大きい。
【００４４】
比較例２に係る補助具３００では、図２（ｂ）に示す窓部１１４がないため、筒部３１０の上端がダイヤル２５０の位置よりも下に位置付けられる構成となっている。すなわち、注射器２００が補助具３００に設置されたときに、ダイヤル２５０が筒部３１０上端よりも上側の位置において外部に露出するようになっている。また、筒部３１０のＺ軸方向の長さは、補助具１００の筒部１１０のＺ軸方向における長さに比べて小さく設定されている。
【００４５】
鍔部３２０は、筒部３１０の上部からＹ軸方向に突出するように設けられている。鍔部３２０のＹ軸正側の端部は、筒部３１０が使用者によって握られたときに示指の上部に沿うよう、Ｚ軸正側に曲がっている。
【００４６】
比較例２の場合も、実施形態と同様に、薬剤の自己注射が行われる。しかしながら、比較例２の場合、押し子２４０の突出量Ｈ２が大きいため、図３（ｂ）に示すように、親指で押し子２４０を押し込もうとすると、使用者は、実施形態の補助具１００の場合よりも上に親指を大きく移動させる必要がある。したがって、使用者は、押し子２４０を押し込みにくくなる。
【００４７】
また、比較例２の場合、筒部３１０のＺ軸方向の長さが短いため、図３（ｂ）に示すように、使用者の小指が筒部３１０の外側面３１１上に乗らず、薬指も筒部３１０の下端からはみ出している。このため、使用者は、補助具３００を安定して握りにくくなる。また、比較例２の場合、筒部３１０の外側面３１１には凹凸が設けられていないため、使用者は、補助具３００を安定して握りにくくなる。
【００４８】
以上のように、比較例２の補助具３００を用いた場合には、薬剤投与の際に種々の問題が生じると考えられる。また、注射器２００を単独で用いる比較例１の場合も、注射器２００は、使用者の手に沿いにくい形状であるため、使用者は注射器２００を安定して握りにくくなると考えられる。
【００４９】
以下に示す検証では、実施形態の補助具１００が、上記のような問題を改善し、実際に使いやすいか否かを複数の観点から検証した。
【００５０】
本検証において、被検者は、２０歳代の健常人ボランティア１０名（男性：３名、女性：７名）とした。被検者は、注射器２００を単独で用いた場合（比較例１）と、補助具３００を用いた場合（比較例２）と、補助具１００を用いた場合（実施形態）とにおいて、それぞれ注入操作を行った。注入操作は、メラミンスポンジに対して注射器２００内の薬液を注入することにより行わった。
【００５１】
（１）使用性に関する検証
使用性に関する検証において、評価はシェッフェの一対比較法（中屋の変法）により行われた。具体的には、被検者は、比較例１、２と実施形態の３つの中から２つの方法を選択して注入操作を行い、「握りやすさ」、「押しやすさ」、「保持のしやすさ」、「総合評価」の４つの評価項目について、選択した２つの方法の評価を行った。被験者は、選択した２つの方法を比較して、先に注入操作を行った方法に対して、後の方法の良否を評価した。評価は、非常に良い（＋２）、良い（＋１）、同じぐらい良い（０）、悪い（−１）、非常に悪い（−２）の５段階とした。また、１人の被検者は、比較例１、２と実施形態の全ての組合せについて評価を行った。
【００５２】
図４（ａ）は、比較例１、２と実施形態において、被検者による使用性に関する検証の結果を示す図である。
【００５３】
図４（ａ）に示すように、「握りやすさ」、「押しやすさ」、「総合評価」の３つの評価項目において、実施形態の評価が最も高く、比較例１、２と比較して有意な差が認められた。「保持のしやすさ」については、実施形態と比較例２との間に有意な差は認められなかったものの、比較例１と比較して有意な差が認められた。この結果から、実施形態の補助具１００を用いることにより、注射器２００を単独で用いる場合（比較例１）と、補助具３００（比較例２）を用いる場合とに比べて、使用性が向上することが示された。
【００５４】
（２）注入量に関する検証
注入量に関する検証では、あらかじめ注入操作前のメラミンスポンジの重量を測定しておき、注入後のメラミンスポンジの重量を差し引くことで注入量を算出した。検証では、注射器２００の注入量が０．２ｇに設定された。
【００５５】
図４（ｂ）は、比較例１、２と実施形態において、注入量に関する検証の結果を示す図である。図４（ｂ）に示すように、薬液の注入量は、比較例１、２と実施形態のいずれの場合も、約０．２ｇであり、３つの場合で差は認められなかった。この結果から、薬液の注入量について、実施形態の補助具１００は、比較例１、２に対して劣っていないことが示された。すなわち、実施形態の補助具１００は、比較例１、２と同様に液量を注入できることが示された。
【００５６】
（３）液漏れに関する検証
液漏れに関する検証では、あらかじめ操作練習用の薬液（生理食塩水）を赤色食用色素によって着色した。被検者が注入操作を行った後、確認者がメラミンスポンジの表面を確認し、メラミンスポンジの表面に着色が見られた場合に液漏れありと評価した。
【００５７】
液漏れは、比較例１の場合にのみ３名の被検者において認められ、比較例２の場合および実施形態の場合には、全ての被検者において認められなかった。この結果から、薬液の液漏れについて、実施形態の補助具１００は、比較例１、２に対して劣っていないことが示された。すなわち、実施形態の補助具１００は、比較例１のように液漏れが生じることなく、適正に薬液を注入できることが示された。
【００５８】
また、実施形態の補助具１００は、適正な液量を注入でき、液漏れが生じることなく適性に薬液を注入できたことから、実施形態の補助具１００によれば、治療上の安全性を確保できることが確認できた。
【００５９】
＜検証２＞
次に、本実施形態の補助具１００の外側面１１１に設けられた凹凸の効果を検証した検証２について説明する。本検証は、外側面１１１の形状に差異を設けた補助具４０１〜４０３を用いて行った。
【００６０】
図５（ａ）〜（ｃ）は、それぞれ、補助具４０１〜４０３の構成を示す側面図である。補助具４０１〜４０３において、補助具１００と同様の構成については、便宜上、補助具１００と同様の番号を付している。以下、補助具４０１〜４０３について、補助具１００と異なる部分について説明する。
【００６１】
図５（ａ）〜（ｃ）に示すように、補助具４０１〜４０３において、鍔部１３０と窓部１１５は省略され、窓部１１４は、孔ではなく、上部が開放された切欠となっている。また、接続部１２０のＹ軸正側の端部が、筒部１１０が使用者によって握られたときに示指の上部に沿うよう、Ｚ軸正側に曲がっている。
【００６２】
図５（ａ）に示すように、補助具４０１の外側面１１１には、凹凸は設けられておらず、外側面１１１の径は一定である。図５（ｂ）、（ｃ）に示すように、補助具４０２、４０３の外側面１１１には、補助具１００と同様の凹凸、すなわち複数の凹部１１１ａと複数の凸部１１１ｂが設けられている。また、補助具４０３の凹凸の振幅は、補助具４０２の凹凸の振幅よりも小さい。
【００６３】
本検証において、被検者は、２０歳代の健常人ボランティア５５名（男性：２１名、女性：３４名）とした。被検者は、補助具４０１〜４０３を用いて、それぞれ注入操作を行った。注入操作は、太ももに設置したインスリン練習用パッドに対して行われた。被検者は、補助具４０１〜４０３を用いて注入操作を行い、「握りやすさ」、「押しやすさ」、「総合的な投与のしやすさ」の３つの評価項目について評価を行った。評価は、最も高い評価を５点とし、５段階で行われた。
【００６４】
図６は、補助具４０１〜４０３を用いて行われた被検者による使用性に関する検証の結果を示す図である。図６に示すように、全ての評価項目について、補助具４０３の評価が最も高く、次いで補助具４０２の評価が高かった。この結果から、筒部１１０の外側面１１１の形状が、補助具４０１のように平坦ではなく、補助具４０２、４０３のように各指が密着するような凹凸形状である方が、使用する際に手指が安定し、使用性が向上することが示された。
【００６５】
なお、本検証では、補助具４０１〜４０３において鍔部１３０が省略されているため、図６に示す各評価項目について、凹凸のみによる効果を適正に評価できる。
【００６６】
＜補助具による効果＞
上記実施形態によれば、以下の効果が奏され得る。
【００６７】
図２（ｃ）に示すように、使用者が筒部１１０を把持した状態において、鍔部１３０によって筒部１１０を握る複数の手指が外側から押さえられるため、筒部１１０に対する使用者の把持が補強される。よって、使用者の握力が弱い場合や使用者の手指が不自由な場合など、使用者が円滑に筒部１１０を把持しにくい状態にあっても、使用者は、補助具１００に装着された注射器２００により、薬剤を円滑に投与することができる。
【００６８】
図２（ｃ）に示すように、指が筒部１１０の外側面１１１の凹凸に嵌まることにより、指と筒部１１０との密着性が高まり、筒部１１０のずれが抑制される。このため、使用者は、より確実かつ安定的に筒部１１０を握ることができる。よって、使用者が円滑に筒部１１０を把持しにくい状態にあっても、使用者は、薬剤をより円滑に投与することができる。
【００６９】
図２（ｃ）に示すように、指が鍔部１３０の内側面１３１の凹凸に嵌まることにより、指と鍔部１３０との密着性が高まり、筒部１１０のずれが抑制される。このため、使用者による筒部１１０の把持状態がより安定化され得る。よって、使用者が円滑に筒部１１０を把持しにくい状態にあっても、使用者は、薬剤をより円滑に投与することができる。
【００７０】
図２（ｃ）に示すように、鍔部１３０の長さは、筒部１１０を握る使用者の手指のうち、少なくとも示指、中指および薬指を覆い得る長さとなっている。このように、少なくとも３つの指が鍔部１３０で押さえられることにより、筒部１１０に対する使用者の把持が確実に補強され得る。よって、使用者が円滑に筒部１１０を把持しにくい状態にあっても、使用者は、薬剤をより円滑に投与することができる。なお、実施形態の補助具１００の場合、鍔部１３０の長さは、示指、中指、薬指および小指を覆い得る長さであるため、さらに使用者の把持が補強され得る。
【００７１】
図２（ｂ）に示すように、窓部１１４からダイヤル２５０が外部に露出するため、注射器２００の本体部２１０を筒部１１０により深く挿入でき、これにより、筒部１１０から突出する押し子２４０の位置を、筒部１１０の上端に近づけることができる。このため、図２（ｃ）に示すように、筒部１１０を片手で握った状態で、その手の親指で押し子２４０を円滑に操作できる。よって、使用者が円滑に筒部１１０を把持しにくい状態にあっても、使用者は、薬剤をより円滑に投与することができる。
【００７２】
図２（ｃ）に示すように、筒部１１０の長さが、筒部１１０を握る使用者の掌の幅以上となっている。これにより、掌が幅方向に筒部１１０からはみ出しにくいため、筒部１１０を把持する際に、指および掌と筒部１１０との密着性が高まる。このため、使用者は、より安定的に筒部１１０を把持できる。よって、使用者が円滑に筒部１１０を把持しにくい状態にあっても、使用者は、薬剤をより円滑に投与することができる。
【００７３】
＜補助具の変更例＞
使用者による自己注射を補助するための補助具は、図１（ａ）、（ｂ）に示す補助具１００に限らず、たとえば、以下に示す補助具４１１〜４１７であってもよい。以下に示す補助具４１１〜４１４において、補助具１００と同様の構成については、便宜上、補助具１００と同様の番号が付されている。以下、補助具４１１〜４１７について、補助具１００と異なる部分について説明する。
【００７４】
図７（ａ）は、補助具４１１の構成を示す側面図であり、図７（ｂ）は、図７（ａ）に示す補助具４１１のＣ３−Ｃ４断面を示す図である。図７（ａ）、（ｂ）に示すように、補助具４１１の鍔部１３０の内側面１３１は、Ｚ軸方向に見て凹形状となっている。なお、上記補助具１００の鍔部１３０の内側面１３１は、図７（ｃ）に示すように、Ｚ軸方向に見て凸形状となっている。
【００７５】
図７（ｂ）に示すように内側面１３１が凹形状に構成されると、筒部１１０を握る使用者の示指、中指、薬指および小指の外側部分に、凹形状の内側面１３１が密着しやすくなる。これにより、使用者は、より安定的に筒部１１０を把持できる。ただし、図７（ｂ）の場合、Ｘ軸正側およびＸ軸負側における筒部１１０と鍔部１３０との間隔が、図７（ｃ）に比べて狭くなるため、筒部１１０と鍔部１３０の間に手指を挿入しにくくなることが想定される。したがって、手指の挿入のしやすさの観点からは、図７（ｃ）に示すように、外側面１１１は凸形状である方が望ましい。
【００７６】
図８（ａ）〜（ｃ）は、補助具４１２〜４１３の構成を示す側面図である。
【００７７】
図８（ａ）に示すように、補助具４１２では、鍔部１３０のＹ軸正側の外側面１３２にも、内側面１３１と同様の凹凸が設けられている。図８（ｂ）に示すように、補助具４１３では、鍔部１３０の内側面１３１の凹凸が省略されている。図８（ｃ）に示すように、補助具４１４では、筒部１１０の外側面１１１の凹凸が省略されている。
【００７８】
図９（ａ）〜（ｃ）に示す補助具４１５においても、上記実施形態と同様、鍔部１３０によって筒部１１０を握る複数の手指が外側から押さえられるため、筒部１１０に対する使用者の把持が補強される。
【００７９】
なお、図８（ｂ）、（ｃ）に示す補助具４１３、４１４では、使用者による筒部１１０の把持の安定性が、外側面１１１と内側面１３１の両方に凹凸が設けられる場合に比べて劣る可能性がある。しかし、補助具４１３、４１４では、外側面１１１と内側面１３１の両方に凹凸が設けられない場合に比べると、使用者による筒部１１０の把持の安定性が高められ得る。
【００８０】
図９（ａ）〜（ｃ）は、それぞれ、補助具４１５〜４１７の構成を示す側面図である。
【００８１】
図９（ａ）に示すように、補助具４１５では、接続部１２０が、筒部１１０の下端に設けられている。図９（ｂ）に示すように、補助具４１６では、接続部１２０が、筒部１１０の上端および下端に設けられている。図９（ｃ）に示すように、補助具４１７では、接続部１２０が、筒部１１０のＺ軸方向の中央位置付近に設けられている。
【００８２】
図９（ａ）〜（ｃ）に示す補助具４１５においても、上記実施形態と同様、鍔部１３０によって筒部１１０を握る複数の手指が外側から押さえられるため、筒部１１０に対する使用者の把持が補強される。また、指が筒部１１０の外側面１１１の凹凸と鍔部１３０の内側面１３１の凹凸に嵌まることにより、指と筒部１１０との密着性が高まり、筒部１１０のずれが抑制される。このため、使用者は、確実かつ安定的に筒部１１０を握ることができる。
【００８３】
上記実施形態では、鍔部１３０が示指から小指の４指を外側から押さえる構成であったが、鍔部１３０が押さえる指の数はこれに限られるものではない。たとえば、鍔部１３０が、示指のみを外側から押さえる構成であってもよく、あるいは、示指から中指までの３指を外側から押さえる構成であってもよい。また、鍔部１３０が押さえる指の数が所望の数となる補助具１００を使用者が選択可能であってもよい。鍔部１３０が押さえる指の数が多いほど筒部１１０の把持が補強されるが、使用者によっては、４指全てが鍔部１３０で押さえられると、窮屈感を覚える場合があり得る。これに対し、鍔部１３０が押さえる指の数を使用者が選択可能であると、使用者において窮屈感がなく、且つ、確実に把持できる補助具１３０を使用できる。
【００８４】
また、接続部１２０のＺ軸正側の側面が、筒部１１０を握る示指の側面に沿うようにＺ軸負側に凹んでいてもよく、また、これに伴い接続部１２０のＺ軸負側の側面がＺ軸負側に隆起した構成であってもよい。これにより、使用者は、筒部１１０を握る際に、自身の示指をより円滑に接続部１２０の下方に位置付けることができ、違和感なく筒部１１０を握ることができる。
【００８５】
２．補助具提供システム
上記実施形態および変更例に示した補助具の使用者は、年齢および性別の様々であり、また、手指に変形等が生じている場合もある。このため、平均的な手指の大きさに合わせた画一的な補助具が提供されると、使用者によっては、手指にフィットせず、操作感が低下することもあり得る。補助具は、使用者ごとの手指に適合するよう形成することが好ましい。
【００８６】
以下、このように使用者ごとの手指に適合する補助具を提供するための補助具提供システムの構成例について説明する。ここでは、上記実施形態で示した補助具１００を使用者ごとに形成することが想定されている。
【００８７】
図１０に示すように、本構成例に係る補助具提供システム１では、薬局２と、専門家施設３と、製造者施設４とにそれぞれ設置された処理装置２ａ、３ａ、４ａが、インターネット等のネットワーク網５で互いに接続された構成となっている。処理装置２ａ、３ａ、４ａは、それぞれ、パーソナルコンピュータやサーバコンピュータによって構成される。
【００８８】
補助具１００を形成する場合、まず、使用者が薬局２に訪れる。薬局２では、薬剤師が、使用者の手指の径等に関する手指情報を処理装置２ａに入力する。処理装置２ａは、入力された手指情報に適合するように、補助具１００の各種パラメータの値を設定し、設定したパラメータ値を使用者の手指情報および使用者情報とともに専門家施設３の処理装置３ａに送信する。
【００８９】
専門家施設３では、処理装置３ａが受信したパラメータ値と手指情報を、専門家が参照して、パラメータ値の修正の要否を確認する。専門家は、使用者の手指の状態を加味したパラメータ値の設定および調整において、専門的なスキルを備えている。パラメータ値の修正が必要な場合、専門家は、パラメータ値を修正し、修正後のパラメータ値を製造者施設４の処理装置４ａに送信する操作を行う。また、パラメータ値の修正が必要ない場合、専門家は、パラメータ値をそのまま製造者施設４の処理装置４ａに送信する操作を行う。これにより、補助具１００のパラメータ値が製造者施設４の処理装置４ａに送信される。このとき、発注元の薬局情報および使用者情報も、処理装置４ａに送信される。
【００９０】
製造者施設４では、処理装置４ａが、受信したパラメータ値に基づいて、形成機４ｂで補助具１００を形成する。形成機４ｂは、たとえば、３次元プリンタからなる。製造者は、形成された補助具１００に使用者情報を付して、発注元の薬局２に輸送する。使用者は、輸送された補助具１００を、薬局２で受け取る。こうして、使用者は、自身の手指に適合する補助具１００を取得する。
【００９１】
図１１に示すように、薬局２の処理装置２ａは、制御部５１０と、記憶部５１１と、表示部５１２と、入力部５１３と、通信部５１４とを備えている。
【００９２】
制御部５１０は、ＣＰＵ（CentralProcessing Unit）等の処理ユニットからなっており、記憶部５１１に記憶されたプログラムに従った制御処理を実行する。記憶部５１１は、ハードディスクトライブやＲＯＭ（Read Only Memory）、ＲＡＭ（Random Access Memory）等からなっており、制御部５１０が実行する制御プログラムや後述する各種テーブル（データベース）を保持する。
【００９３】
表示部５１２は、モニター等の表示手段を備える。入力部５１３は、キーボードやマウス等の入力手段を備える。通信部５１４は、ネットワーク網５を介して各種情報を送受信するインタフェースである。
【００９４】
専門家施設３の処理装置３ａも、処理装置２ａと同様の構成である。処理装置３ａは、制御部６１０と、記憶部６１１と、表示部６１２と、入力部６１３と、通信部６１４とを備えている。制御部６１０は、記憶部６１１に保持された制御プログラムに従って制御処理を実行する。
【００９５】
図１２（ａ）〜（ｃ）および図１３（ａ）、（ｂ）は、薬局２の処理装置２ａに保持される各種テーブルの構成を示す図である。これらのテーブルは、処理装置２ａの記憶部５１１に保持される。
【００９６】
図１２（ａ）に示すように、患者テーブルは、患者ＩＤと、患者の氏名、性別、生年月日とを互いに対応づけた構成となっている。薬局２に新たな患者が訪れると、その患者に関する情報が患者テーブルに登録される。患者テーブルの登録は、薬剤師が処理装置２ａの入力部５１３を介して行う。
【００９７】
図１２（ｂ）に示すように、注射器テーブルは、注射器ＩＤと、当該注射器の名称、当該注射器用の補助具１００の画像（外観画像）および当該注射器に固有の補助具１００のパラメータ（１）〜（４）の値とを互いに対応づけた構成となっている。たとえば、インスリン接種用の注射器には、図２（ａ）に示した注射器２００の他に、本体部２１０の形状（径や長さ）等が異なる数種の注射器が存在する。注射器テーブルには、これら数種の注射器と、各注射器に関する情報とが対応付けられている。
【００９８】
注射器テーブルには、補助具１００の画像として、各注射器が装着される補助具１００の外観画像に、補助具１００の各パラメータの範囲を重ねた画像（たとえば、図１６の領域２１参照）が保持されている。また、パラメータ（１）〜（４）の欄には、注射器の種類によって固有に決まる補助具１００のパラメータ（１）〜（４）の値（図１６の領域２１参照）が保持されている。
【００９９】
図１２（ｃ）に示すように、受付テーブルは、注文番号に、患者ＩＤと、注射器ＩＤと、手指情報と、手指特殊入力の有無と、コメントとを対応付けた構成となっている。患者から補助具１００の注文があると、注文番号が追加され、受付テーブルに新たな情報が登録される。受付テーブルには、薬剤師が処理装置２ａの入力部５１３を介して入力した情報が登録される。
【０１００】
患者ＩＤの欄には、補助具１００を注文した患者のＩＤが登録される。注射器ＩＤの欄には、薬剤師が提供する注射器のＩＤが登録される。手指情報の欄には、患者の手指の径等、薬剤師が計測した使用者（典型的には患者）の手指に関する情報が登録される。手指特殊入力の有無の欄には、使用者の手指に変形がある場合など、使用者の手指に特殊な事情があるか否かが登録される。コメントの欄には、使用者の手指に関するコメントが登録される。受付テーブルに登録される各情報の入力方法については、追って、図１４を参照して説明する。
【０１０１】
図１３（ａ）に示すように、薬局入力パラメータテーブルは、注文番号に、注文の日時と、補助具１００の各パラメータの値と、コメントとが対応付けられた構成となっている。注文番号およびコメントの欄には、図１２（ｃ）の受付テーブルの注文番号とコメントの欄の内容が転記される。日時の欄には、パラメータの値が確定された日時が登録される。パラメータの欄は、図１２（ｃ）の受付テーブルの手指情報をもとに算出された補助具１００の各パラメータの値が登録される。ここでは、補助具１００に１５のパラメータが設定されている。パラメータ（１）〜（１５）の内容については、追って、図１６を参照して説明する。
【０１０２】
図１３（ｂ）に示すように、専門家入力パラメータテーブルは、注文番号に、修正の日時と、補助具１００の各パラメータの値とが対応付けられた構成となっている。専門家入力パラメータテーブルは、専門家が修正した補助具１００の各パラメータの値を専門家施設３の処理装置３ａから受信した場合に、受信した各パラメータの値が登録される。注文番号の欄には、専門家がパラメータ値を修正した補助具１００の注文番号が登録される。日時の欄には、修正の日時、すなわち、専門家施設３の処理装置３ａから各パラメータの修正値を受信した日時が登録される。パラメータの欄には、受信した各パラメータの修正値が登録される。
【０１０３】
なお、専門家施設３の処理装置３ａにも、図１２（ｂ）に示す注射器テーブルが保持されている。また、処理装置３ａは、薬局２の処理装置２ａから図１３（ａ）に示す薬局入力パラメータテーブルの情報を受信した場合に、受信した情報を、自身の対応するデータベースに登録する。また、処理装置３ａは、図１３（ｂ）に示す専門家入力パラメータテーブルの情報を、薬局２の処理装置２ａに送信する際に、自身の対応するデータベースに登録する。
【０１０４】
図１４は、補助具１００の使用者（典型的には患者）の情報を入力する入力画面１０の構成を示す図である。入力画面１０は、薬局２に設置された処理装置２ａの表示部５１２に表示される。
【０１０５】
入力画面１０は、領域１１〜１７と、キー１８とを含んでいる。領域１１には、別途準備された患者登録画面で登録された患者のＩＤと患者の氏名が表示され、さらに、別途準備された注文受付画面で割り振られた注文番号が表示される。
【０１０６】
領域１２には、薬剤師が患者に提供する注射器の種類が入力される。領域１２の右端には、注射器の選択候補をプルダウン表示させるためのボタンが配置されている。薬剤師は、入力部５１３によりこのボタンを操作して、自身が提供しようとする注射器を選択候補から選択する。これにより、注射器の入力が完了する。
【０１０７】
領域１３には、補助具１００の使用者の示指、中指、薬指および小指の直径が入力される。薬剤師は、使用者の示指、中指、薬指および小指の直径を計測し、各指の計測値を入力欄１３ａ〜１３ｄに入力する。各指の直径は、図１５（ａ）に矢印で示すように、各指の第２関節において計測される。
【０１０８】
領域１４には、補助具１００の使用者の示指から小指までの長さが入力される。薬剤師は、使用者の示指から小指までの長さを計測し、計測値を領域１４に入力する。示指から小指までの長さは、図１５（ｂ）に矢印で示すように、各指の付け根の位置において計測される。
【０１０９】
領域１５には、補助具１００の使用者の各指に関するコメントが入力される。たとえば、怪我の後遺症等により所定の指が曲がっており、あるいは、曲げ伸ばしに制約があるような場合、薬剤師は、その内容を、領域１５に入力する。
【０１１０】
領域１６は、補助具１００の使用者の手指が特殊な状況にあるため、薬剤師が追加の手指情報を入力すべきと判断した場合に、チェックが付されるチェックボックスである。薬剤師は、領域１６にチェックを付した後、領域１７の全ての入力欄１７ａ〜１７ｌにそれぞれ対応する情報を入力する。
【０１１１】
入力欄１７ａ〜１７ｄには、補助具１００の使用者の５つ指のうち隣り合う指間の平面間隔が入力される。ここで、平面間隔とは、図１５（ｃ）に矢印で示すように、使用者が指を広げたときの指先間の間隔である。薬剤師は、使用者の隣り合う指間の平面間隔を計測し、各計測値をそれぞれ入力欄１７ａ〜１７ｄに入力する。
【０１１２】
入力欄１７ｅ〜１７ｉには、補助具１００の使用者の５つ指の平面からの高さが入力される。ここで、平面からの高さとは、図１５（ｅ）に矢印で示すように、使用者が指を広げて平面に手を置いたときの各指と平面との間の隙間の最大値である。薬剤師は、使用者の各指について、平面からの高さを計測し、各計測値をそれぞれ入力欄１７ｅ〜１７ｉに入力する。
【０１１３】
入力欄１７ｊ〜１７ｌには、補助具１００の使用者の示指から小指までの４指のうち隣り合う指間の握り間隔が入力される。ここで、握り間隔とは、図１５（ｄ）に矢印で示すように、使用者が示指から小指までの４指を自然に閉じた状態で握ったときの指間の間隔の最大値である。薬剤師は、使用者の隣り合う指間の握り間隔を計測し、各計測値をそれぞれ入力欄１７ｊ〜１７ｌに入力する。
【０１１４】
使用者の手指に異常がある場合、入力欄１７ａ〜１７ｌの何れかに異常な値が含まれる。後述のように、入力欄１７ａ〜１７ｌに入力された手指情報は、領域１５に入力されたコメントとともに専門家施設３の専門家によって参照され、補助具１００の各パラメータの値の調整に役立てられる。
【０１１５】
なお、領域１３〜１７に対する入力は、注射器の薬剤投与の際に、使用者が補助具１００を把持する手指（通常は、利き腕の手指）に対して行われる。
【０１１６】
キー１８は、領域１２〜１７に対する入力が完了した場合に、処理を次のステップに進めるためのキーである。薬剤師は、領域１２〜１７に対する入力が完了した場合に、キー１８を操作する。全ての入力が完了していない場合、キー１８は操作不能に設定される。キー１８が操作されると、図１６に示すパラメータ画面２０が表示部５１２に表示される。
【０１１７】
図１６に示すように、パラメータ画面２０は、領域２１〜２７と、キー２８、２９とを含んでいる。
【０１１８】
領域２１には、補助具１００の外観に、補助具１００のパラメータ（１）〜（１５）の範囲を重ねて示す画像が表示される。領域２１には、図１２（ｂ）の注射器テーブルに格納された画像のうち、図１４の領域１２で薬剤師が選択した注射器に対応する補助具１００の画像が表示される。
【０１１９】
領域２２には、図１４のキー１８が操作される際に、領域１１〜１４および領域１６、１７に保持されていた情報が表示され、領域２３には、図１４の領域１５に保持されていた情報が表示される。
【０１２０】
領域２４、２６には、領域２１に表示された補助具１００のパラメータ（１）〜（１５）の値が表示される。このうち、パラメータ（１）〜（４）の欄には、図１２（ｂ）の注射器テーブルに格納されたパラメータ（１）〜（４）の値のうち、図１４の領域１２で薬剤師が選択した注射器に対応するパラメータ（１）〜（４）の値が表示される。パラメータ（５）〜（１５）の欄には、図１４の領域１３、１４における各指の径および示指から小指までの長さと各パラメータとの相関演算により、制御部５１０が算出した値が表示される。
【０１２１】
図１１に示す記憶部５１１には、予め、各指の径および示指から小指までの長さと、パラメータ（５）〜（１５）との間の相関を規定する演算式が記憶されている。制御部５１０は、図１４に示す入力画面１０において薬剤師が入力した各指の径および示指から小指までの長さを、各パラメータの相関演算式に適用して、各パラメータの値を取得する。
【０１２２】
パラメータ（１）は、補助具１００の筒部１１０の最上部の厚みである。パラメータ（２）は、補助具１００の孔１１２の直径である。パラメータ（３）、（４）は、それぞれ、補助具１００の窓部１１４の横方向および縦方向の幅である。なお、本実施形態では、パラメータ（２）の値にパラメータ（１）の値を２倍して加算した値（筒部１１０の径）が、どの種類の注射器が選択された場合でも同一の値になるように設定されている。すなわち、薬剤師が本体部２１０の直径が小さい注射器を選択した場合は、パラメータ（２）の値が小さくなり、パラメータ（１）の値が大きくなる。
【０１２３】
パラメータ（５）は、補助具１００の筒部１１０の長さである。パラメータ（５）は、図１４の領域１４に入力された示指から小指までの長さよりもやや大きい値として算出される。パラメータ（６）は、補助具１００の接続部１２０の長さである。パラメータ（６）は、示指に対するパラメータ（９）の値（示指に対する筒部１１０側の凹部１１１ａと鍔部１３０側の凹部１３１ａとの間の距離)と、予め設定された鍔部１３０の厚みとに基づいて算出される。
【０１２４】
パラメータ（７）は、補助具１００の鍔部１３０の幅である。パラメータ（７）は、示指から小指の４指が鍔部１３０によって外側から所定の力で押さる弾性力が得られるように、接続部１２０の長さと鍔部１３０の長さとに基づいて算出される。パラメータ（８）は、鍔部１３０の長さである。パラメータ（８）は、鍔部１３０の下端が筒部１１０の下端に揃うように算出される。
【０１２５】
パラメータ（９）は、筒部１１０側の凹部１１１ａと鍔部１３０側の凹部１３１ａとの間の距離である。パラメータ（９）は、示指から小指の各指の位置に対してそれぞれ算出される。パラメータ（９）は、図１４の領域１３に入力された４指の直径に基づいて算出される。
【０１２６】
パラメータ（１０）は、補助具１００の筒部１１０の外側面１１１に形成された凹部１１１ａの深さであり、パラメータ（１１）は、筒部１１０の外側面１１１に形成された凸部１１１ｂの高さである。パラメータ（１０）（凹部１１１ａの深さ）と、パラメータ（１１）（凸部１１１ｂの高さ）は、筒部１１０の外側面１１１の外径、すなわち、パラメータ（２）の値にパラメータ（１）の値を２倍して加算した値を基準に設定される。パラメータ（１０）、（１１）は、示指から小指の各指の位置に対してそれぞれ算出される。パラメータ（１０）、（１１）は、示指から小指がそれぞれ各指の凹部１１１ａにフィットするように、図１４の領域１３に入力された４指の直径に基づいて算出される。
【０１２７】
パラメータ（１２）は、補助具１００の筒部１１０の外側面１１１に形成された凹部１１１ａのピッチである。パラメータ（１２）も、示指から小指の各指の位置に対してそれぞれ算出される。パラメータ（１２）は、使用者が指を揃えて筒部１１０を握った場合に示指から小指の４指がそれぞれ各指の凹部１１１ａに沿うように、図１４の領域１３に入力された４指の直径に基づいて算出される。
【０１２８】
パラメータ（１３）は、補助具１００の鍔部１３０の内側面１３１に形成された凹部１３１ａの深さであり、パラメータ（１４）は、鍔部１３０の内側面１３１に形成された凸部１３１ｂの高さである。パラメータ（１３）（凹部１３１ａの深さ）と、パラメータ（１４）（凸部１３１ｂの高さ）は、上側に隣り合う凸部１３１ｂの高さを基準に設定される。パラメータ（１３）、（１４）は、示指から小指の各指の位置に対してそれぞれ算出される。パラメータ（１３）、（１４）は、示指から小指までの４指がそれぞれ各指の凹部１３１ａにフィットするように、図１４の領域１３に入力された４指の直径に基づいて算出される。
【０１２９】
パラメータ（１５）は、補助具１００の鍔部１３０の内側面１３１に形成された凹部１３１ａのピッチである。パラメータ（１５）も、示指から小指の各指の位置に対してそれぞれ算出される。パラメータ（１５）は、使用者が指を揃えて筒部１１０を握った場合に示指から小指の４指がそれぞれ各指の凹部１３１ａに沿うように、図１４の領域１３に入力された４指の直径に基づいて算出される。
【０１３０】
なお、鍔部１３０側の各指の凹部１３１ａと筒部１１０側の各指の凹部１１１ａは、筒部１１０の長さ方向（図１（ａ）のＺ軸方向）において同じ位置にある。
【０１３１】
図１６に示すように、領域２４には、パラメータ（１）〜（４）の値と、パラメータ（５）〜（８）の算出結果が表示される。領域２６には、パラメータ（９）から（１５）の算出結果が表示される。領域２５は、領域２６に表示されるパラメータ（９）〜（１５）の値を、どの指に対して表示させるかを選択するために用いられる。領域２５の右端には、指の選択候補をプルダウン表示させるためのボタンが配置されている。薬剤師は、入力部５１３によりこのボタンを操作して、所望の指を選択する。これにより、選択した指に対応するパラメータ（９）〜（１５）の値が、領域２６に表示される。
【０１３２】
領域２７には、図１４の領域１５に入力されたコメントが表示される。薬剤師は、領域２４、２６に表示された各パラメータの値を確認した後、キー２８を操作する。これにより、領域２２、２７に表示された情報（患者氏名は除く）と、各パラメータの値が、専門家施設３の処理装置３ａに送信される。また、領域２２に表示された情報は、薬局２の処理装置２ａに構築された受付テーブル（図１２（ｃ）参照）に登録され、各パラメータの値は、薬局２の処理装置２ａに構築された薬局入力パラメータテーブル（図１３（ａ）参照）に登録される。
【０１３３】
なお、薬剤師は、図１６に示すパラメータ画面２０において、領域２４、２６に表示されたパラメータ（５）〜（１５）の値を適宜修正可能である。たとえば、薬剤師が、修正しようとするパラメータ値の位置にカーソルを位置付けてマウスをクリックすると、このパラメータ値が修正可能な状態に設定される。所定のパラメータ値を演算値から修正した場合、薬剤師は、適宜、領域２７に対して、修正に関するコメントを追記する。その後、キー２８が送信されると、修正後のパラメータ値を含む各パラメータの値が、領域２２、２７に表示された情報とともに、専門家施設３の処理装置３ａに送信される。
【０１３４】
また、薬剤師は、図１６に示すパラメータ画面２０において、キー２９を操作することにより、画面を図１４の入力画面１０に戻すことができる。これにより、薬剤師は、各種情報の入力を適宜やり直すことができる。
【０１３５】
こうして、各パラメータの値と領域２２、２７に表示された情報が、専門家施設３の処理装置３ａに送信されると、処理装置３ａにおいて、受信した情報をもとに、図１７に示すパラメータ画面３０が表示される。
【０１３６】
図１７に示すパラメータ画面３０は、領域３１〜３７と、キー３８、３９とを含んでいる。領域３１〜３７は、図１６に示すパラメータ画面３０の領域２１〜２７と同じである。図１７のパラメータ画面３０を参照して、専門家は、領域３４、３６に表示されているパラメータ値の修正の要否を判断する。この場合、専門家は、特に、領域３２の下段に示された手指特殊入力の有無と、平面間隔、平面からの高さ、および、握り間隔と、領域３７のコメントを参照する。
【０１３７】
たとえば、専門家は、当該使用者の平面間隔や平面からの高さおよび握り間隔に基づき、所定の指に変形等が生じていると判断すると、その度合いに応じて、当該指に対応するパラメータの値を修正する。この際、専門家は、領域３７に、当該指の変形についてコメントがあるか否かを確認する。あるいは、専門家は、領域３７に、薬剤師側で所定のパラメータ値を修正したことの記載がある場合、その修正が適正であるか否かを判断する。そして、修正が適正でないと判断した場合、専門家は、当該パラメータ値を適正な値に修正する。
【０１３８】
こうしてパラメータ値を修正した後、専門家がキー３８を操作すると、修正後のパラメータ値と、領域３２の上段に表示された注文番号、注射器種別、患者ＩＤと、当該注文を受けた薬局２の情報（住所、薬局名、等）とが、製造者施設４の処理装置４ａに送信される。このとき、同時に、これらの情報が、専門家施設３の処理装置３ａから、当該発注を行った薬局２側の処理装置２ａに送信される。薬局２側の処理装置２ａでは、受信した情報を、図１３（ｂ）に示す専門家入力パラメータテーブルに登録する。
【０１３９】
また、専門家がパラメータ値を修正することなくキー３８を操作すると、薬局２側から受信したパラメータ値がそのまま、注文番号、注射器種別および患者ＩＤと、当該注文を受けた薬局２の情報（住所、薬局名、等）とともに、製造者施設４の処理装置４ａに送信される。この場合、これらの情報は、当該発注を行った薬局２の処理装置２ａには送信されない。
【０１４０】
なお、専門家は、パラメータ値の修正が困難な程度に、使用者の手指に異常があると判断した場合、キー３９を操作して、製造依頼を中止する。この場合、専門家は、別途、発注元の薬局２に連絡を行って、当該使用者に対する補助具１００の個別設計を薬剤師に促す等の対応をとる。
【０１４１】
こうして、補助具１００に関する情報が製造者施設４の処理装置４ａに送信されると、処理装置４ａにおいて、受信した情報に基づく補助具１００の形成が行われる。具体的には、処理装置４ａは、受信したパラメータ値と注射機種別とを補助具１００の形成プログラムに適用し、形成機４ｂにより、補助具１００を形成する。こうして形成された補助具１００は、薬局の情報により指定された送り先に、注文番号、注射器種別および患者ＩＤを標記したラベルとともに、製造者により輸送される。こうして、使用者は、自身の手指に適合する補助具１００を受け取ることができる。
【０１４２】
図１８（ａ）は、補助具１００の発注時における薬局２側の処理装置２ａの処理を示すフローチャートである。また、図１８（ｂ）は、補助具１００の発注を薬局２側から専門家施設３の処理装置３ａが受信した場合の処理装置３ａにおける処理を示すフローチャートである。これらフローチャートによる処理により、上記のように、図１４および図１６の画面が処理装置２ａにおいて表示され、また、図１７に示す画面が処理装置３ａにおいて表示される。
【０１４３】
図１８（ａ）を参照して、薬剤師により発注処理が開始されると、処理装置２ａの制御部５１０は、図１４に示す入力画面１０を表示部５１２に表示させて、使用者の手指に関する手指情報の入力を受け付ける（Ｓ１１）。入力画面１０に対する入力が完了すると、制御部５１０は、入力された手指情報に基づいて、補助具１００の各パラメータ値を算出し（Ｓ１２）、算出したパラメータ値を手指情報とともにパラメータ画面２０（図１６）に表示させる（Ｓ１３）。薬剤師は、適宜、パラメータ画面２０において、パラメータ値の修正およびコメントの追記を行う。
【０１４４】
その後、薬剤師により、パラメータ画面２０のキー２８が操作されると（Ｓ１４：ＹＥＳ）、制御部５１０は、パラメータ値を、手指情報およびその他の情報とともに、専門家施設３の処理装置３ａに送信する（Ｓ１５）。このとき、同時に、制御部５１０は、パラメータ値および手指情報を対応するテーブルに登録する。これにより、制御部５１０は、発注時の処理を終了する。
【０１４５】
図１８（ｂ）を参照して、処理装置３ａの制御部６１０は、薬局２側の処理装置２ａから受信した情報（図１８（ａ）のＳ１５で送信された情報）に基づいて、図１７に示すパラメータ画面３０を表示する（Ｓ２１）。専門家は、適宜、パラメータ画面３０において、パラメータ値の修正を行う。
【０１４６】
その後、専門家により、パラメータ画面３０のキー３８が操作されると（Ｓ２２：ＹＥＳ）、制御部６１０は、パラメータ値を、注射機種別およびその他の情報とともに、製造者施設４の処理装置４ａに送信する（Ｓ２３）。このとき、同時に、制御部６１０は、パラメータ値および手指情報を自身のデータベースに登録する。また、専門家がパラメータ値の修正を行った場合、制御部６１０は、修正後のパラメータ値を、発注元の薬局２の処理装置２ａに送信する。この場合、修正後のパラメータ値が、薬局２側の処理装置２ａにおいて、専門家入力パラメータテーブルに登録される。これにより、制御部６１０は、処理を終了する。
【０１４７】
また、専門家により、パラメータ画面３０のキー３９が操作されると（Ｓ２４：ＹＥＳ）、制御部６１０は、パラメータ値を製造者施設４の処理装置４ａに送信することなく処理を終了する。
【０１４８】
ステップＳ２３によりパラメータ値を含む製造依頼情報が製造者施設４の処理装置４ａに送信されると、上記のように、製造者施設４においてパラメータ値に基づき補助具１００が形成される。形成された補助具１００は、発注元の薬局２に輸送され、使用者に受け取られる。
【０１４９】
使用者は、こうして受け取った補助具１００について握り具合を確認し、握りに違和感があるような場合に、そのことを、薬剤師に申し出る。これを受けて、薬剤師は、処理装置２ａの表示部５１２に、当該補助具１００の注文番号に対応するパラメータ画面２０（図１６参照）を表示させる。上記のように専門家が発注時にパラメータ値を修正している場合、図１３（ｂ）の専門家入力パラメータテーブルに登録されているパラメータ値がパラメータ画面２０の領域２４、２６に表示される。また、専門家がパラメータ値を修正しなかった場合は、図１３（ａ）の薬局入力パラメータテーブルに登録されているパラメータ値がパラメータ画面２０の領域２４、２６に表示される。
【０１５０】
薬剤師は、適宜、使用者の違和感を解消するよう、パラメータ画面２０において、パラメータ値を修正する。この場合、薬剤師は、使用者の違和感の内容とパラメータ値の修正内容（どのパラメータ値をどのように修正したか）を領域２７に追記し、キー２８を操作する。これにより、修正後のパラメータ値とパラメータ値の修正内容および使用者の違和感の内容が、専門家施設３の処理装置３ａに送信される。
【０１５１】
あるいは、薬剤師は、自身ではパラメータ値の修正を行えないと判断した場合、使用者の違和感の内容と、パラメータ値の修正は行わなかったこと示すコメントを領域２７に追記し、キー２８を操作する。これにより、未修正のパラメータ値と使用者の違和感の内容およびコメントが、専門家施設３の処理装置３ａに送信される。
【０１５２】
専門家施設３の処理装置３ａでは、受信した情報に基づいて図１７のパラメータ画面３０が表示される。専門家は、表示されたパラメータ画面３０中の領域３７を参照し、使用者の違和感の内容に応じて、適宜、パラメータ値を修正する。その後、専門家は、キー３８を操作して、修正後のパラメータ値をその他の情報とともに、製造者施設４の処理装置４ａに送信する。
【０１５３】
これにより、製造者施設４において、修正後のパラメータ値に基づく補助具１００が形成され、発注元の薬局２に輸送される。こうして、使用者は、違和感が解消された補助具１００を受領する。
【０１５４】
＜補助具提供システムによる効果＞
本実施形態に係る補助具提供システム１によれば、使用者の手指の状態に応じて補助具１００の各種パラメータの値（寸法）が設定されるため、使用者の手指の状態に適合する補助具１００を使用者ごとに作成できる。このため、使用者が円滑に筒部１１０を把持しにくい状態にあっても、使用者は、より安定的かつ確実に補助具１００を把持することができる。よって、使用者は、薬剤をより一層円滑に投与することができる。
【０１５５】
また、使用者の示指、中指、薬指および小指の径と、示指から小指までの長さに適合した補助具１００を使用者ごとに作成できる。よって、使用者は、安定的かつ確実に補助具１００を把持することができ、薬剤をより円滑に投与することができる。
【０１５６】
なお、本実施形態では、鍔部１３０が示指から小指までを覆うように補助具１００が構成されるため、入力画面１０において、示指から小指までの４指の径の入力が受け付けられたが、たとえば、鍔部１３０が示指と中指のみを覆うように補助具１００が構成される場合、入力画面１０の領域１３は、示指と中指の２指の径の入力を受け付けるように変更される。また、鍔部１３０が示指、中指および薬指のみを覆うように補助具１００が構成される場合、入力画面１０の領域１３は、示指、中指および薬指の３指の径の入力を受け付けるように変更される。鍔部１３０が示指のみを覆うように補助具１００が構成される場合、入力画面１０の領域１３は、示指の径の入力を受け付けるように変更される。
【０１５７】
なお、入力画面１０において、鍔部１３０が示指からどの指までを覆うように補助具１００を形成するかを薬剤師において選択可能であってもよい。この場合、薬剤師は、使用者に、鍔部１３０がどの指までを覆うことが好ましいかを確認しながら、鍔部１３０が覆うべき指の数を選択する。
【０１５８】
＜補助具提供システムの変更例＞
本実施形態では、補助具１００のパラメータ値の演算処理が、薬局２側の処理装置２ａにおいて行われたが、この演算処理が、専門家施設３側の処理装置３ａで行われてもよく、あるいは、薬局２側の処理装置２ａと専門家施設３側の処理装置３ａの両方で行われてもよい。
【０１５９】
補助具１００のパラメータ値の演算処理が専門家施設３側の処理装置３ａのみで行われる場合、薬局２側の処理装置２ａは、図１４に示す入力画面１０で入力された手指情報（４指の径、示指から小指までの長さ、コメント、特殊入力の有無、平面間隔、平面からの高さ、握り間隔を含む）を、注射器種別と、患者情報および注文番号とともに、専門家施設３の処理装置３ａに送信する。専門家施設３の処理装置３ａは受信した情報に基づき相関演算を行って、補助具１００の各パラメータ値を算出する。これにより、図１７に示すパラメータ画面３０が構成され、処理装置３ａの表示部６１２に表示される。その後の処理は、上記実施形態と同様である。
【０１６０】
この場合、薬局２側の処理装置２ａ（第１の処理装置）は、使用者の手指情報を受け付けるための受付部として機能し、専門家施設３の処理装置３ａ（第２の処理装置）は、パラメータ値を算出する演算部と、算出したパラメータ値を製造者施設４の処理装置４ａに送信する通信部として機能する。この場合、薬局２側の処理装置２ａ（第１の処理装置）と専門家施設３の処理装置３ａ（第２の処理装置）とによって、補助具１００を成形するための情報を使用者ごとに生成して管理する情報管理装置が構成される。
【０１６１】
また、必ずしも、薬局２と専門家施設３に情報管理装置の機能が分けられていなくともよく、薬局２のみに情報管理装置の機能が集約されていてもよい。この場合、薬局２に設置された処理装置２ａ（情報管理装置）から製造者施設４の処理装置４ａに各種パラメータの値が直接送信される。
【０１６２】
また、必ずしも、形成装置（処理装置および形成機）と情報管理装置が外部のネットワーク網を介して接続されていなくともよく、同じ施設（たとえば薬局２）内に形成装置（処理装置および形成機）と情報管理装置の両方が設置され、これらが内部ネットワークによって接続されていてもよい。
【０１６３】
たとえば、図１０に示す薬局２内に、補助具１００を形成するための形成機（３Ｄプリンターなど）が設置され、この形成機が処理装置２ａに接続されていてもよい。この場合、処理装置２ａは、補助具１００の各パラメータ値を算出する演算部の機能とともに、算出したパラメータ値に基づいて、形成機により補助具１００を形成する形成装置の機能を備える。こうすると、使用者は、輸送を待たずに速やかに補助具１００を取得できる。また、取得した補助具１００に使用者が違和感を持った場合にも、その場で違和感の内容を確認しながら速やかに補助具１００を再形成して使用者に提供できる。
【０１６４】
また、上記実施形態では、筒部１１０の径、すなわち、パラメータ（２）にパラメータ（１）を２倍して加算した値が一定であったが、年齢や指、掌の長さに応じて筒部１１０の径を変化させてもよい。この場合、入力画面１０に使用者の年齢や指、掌の長さに関する情報の入力項目が含められ、これら入力項目における入力情報に基づいて、パラメータ（１）の値が相関演算により求められる。
【０１６５】
また、上記実施形態では、専門家施設３の処理装置３ａから製造者施設４の処理装置４ａに補助具１００のパラメータ値が送信され、このパラメータ値に基づいて、処理装置４ａにより補助具１００の生成データが生成されて補助具１００が形成されたが、補助具１００の生成データが、専門家施設３の処理装置３ａにおいて生成されて、製造者施設４の処理装置４ａに送信されてもよい。この場合、専門家施設３の処理装置３ａは、薬局２の処理装置２ａから受信したパラメータ値と手指情報を、アルゴリズムにより、補助具１００の生成データへと変換する。
【０１６６】
また、上記実施形態では、専門家施設３の専門家が、薬局２の処理装置２ａから受信した補助具１００のパラメータ値を修正したが、この修正を、専門家施設３の処理装置３ａのアルゴリズムによって行うようにしてもよい。
【０１６７】
この場合、アルゴリズムは、手指特殊入力が「有り」となっている場合に、当該使用者の平面間隔や平面からの高さおよび握り間隔に基づき、所定の指に変形等が生じているか否かを判定し、変形等が生じている場合に、変形度合いに応じて、当該指に対応するパラメータ値を修正する。あるいは、アルゴリズムは、図１７の領域３７に記載されるコメントに、薬剤師側で所定のパラメータ値を修正したことの記載がある場合、その修正が適正であるか否かを判断する。そして、修正が適正でないと判断した場合、アルゴリズムは、当該パラメータ値を適正な値に修正する。
【０１６８】
なお、アルゴリズムは、パラメータ値の修正が困難な程度に、使用者の手指に異常があると判断した場合、製造依頼を中止する。この場合、アルゴリズムは、別途、発注元の薬局２にこの旨の連絡を自動送信し、当該使用者に対する補助具１００の個別設計を薬剤師に促す等の対応をとる。
【０１６９】
この他、本発明の実施形態は、特許請求の範囲に記載された範囲内で種々の変更が可能である。
【符号の説明】
【０１７０】
１００、４１１〜４１７  補助具
１１０  筒部
１１１  外側面
１１３  係止部
１１４  窓部
１３０  鍔部
１３１  内側面
２００  注射器
２４０  押し子
２５０  ダイヤル
１  補助具提供システム
２ａ  処理装置（情報管理装置、第１の処理装置）
３ａ  処理装置（情報管理装置、第２の処理装置）
４ａ  処理装置（形成装置）
４ｂ  形成機（形成装置）
５１０  制御部（演算部）
５１２  表示部（受付部）
５１３  入力部（受付部）
５１４  通信部
６１４  通信部
【図１】
2018064912.tif 000003
【図２】
2018064912.tif 000004
【図３】
2018064912.tif 000005
【図４】
2018064912.tif 000006
【図５】
2018064912.tif 000007
【図６】
2018064912.tif 000008
【図７】
2018064912.tif 000009
【図８】
2018064912.tif 000010
【図９】
2018064912.tif 000011
【図１０】
2018064912.tif 000012
【図１１】
2018064912.tif 000013
【図１２】
2018064912.tif 000014
【図１３】
2018064912.tif 000015
【図１４】
2018064912.tif 000016
【図１５】
2018064912.tif 000017
【図１６】
2018064912.tif 000018
【図１７】
2018064912.tif 000019
【図１８】
2018064912.tif 000020